(57)【要約】      （修正有）【課題】構造全体の体積が小さく、乗車時容易に取り付けられ、降車時直ぐに取り外せ、及び容易に持ち運ぶことができる携帯電話の折り畳み式挟持装置を提供する。【解決手段】挟持装置は、第１支持ユニット１と、第１枢着ユニット２と、第２枢着ユニット３と、第２支持ユニット４とを備え、第１支持ユニットは、携帯電話を挟持するための挟持体を有し、一端が第１枢着ユニットと枢着され、第１枢着ユニットは中間位置に突出する第１延伸部２１を有し、第２枢着ユニットは中間位置に突出する第２延伸部３１を有し、第２延伸部と第１延伸部は接合して同軸で回動可能であり、第２支持ユニットは、一端が第２枢着ユニットと枢着され、固定挟持部４１と、可動挟持部４２と、少なくとも１つの弾性体とを有し、固定挟持部及び可動挟持部は、テーブル側面等の板状体を挟持できる。【選択図】図１
0003222823.tif 000002
【実用新案登録請求の範囲】
【請求項１】
第１支持ユニットと、第１枢着ユニットと、第２枢着ユニットと、第２支持ユニットとを備え、
前記第１支持ユニットは、携帯電話を挟持するための挟持体を有し、その一端が第１枢着ユニットと枢着され、
前記第１枢着ユニットはＴ字型の枢着体であり、中間位置に突出する第１延伸部を有し、
前記第２枢着ユニットはＴ字型の枢着体であり、中間位置に突出する第２延伸部を有し、
前記第２延伸部と前記第１延伸部は接合して同軸で回動可能であり、
前記第２支持ユニットは、その一端が前記第２枢着ユニットと枢着され、固定挟持部と、可動挟持部と、少なくとも１つの弾性体とを有し、
前記固定挟持部は、前記第２支持ユニットにおける枢着箇所から離れる一端に位置し、
前記可動挟持部はＬ字型であり、その一部が前記第２支持ユニットの内部まで延伸され、前記固定挟持部から離れる方向に直線移動可能であり、
前記弾性体は、前記第２支持ユニットの内部に位置して前記可動挟持部と接触し、前記可動挟持部及び前記固定挟持部の挟持力を付与し、
折り畳まれる際、前記第１枢着ユニット及び前記第２枢着ユニットを調整することで、前記挟持体が前記第２支持ユニットの枢着箇所と前記固定挟持部との間に位置するように前記第１支持ユニットと前記第２支持ユニットを対向に接近させることを特徴とする、折り畳み式挟持装置。
【請求項２】
前記挟持体は、回動可能に前記第１支持ユニットに取り付けられることを特徴とする、請求項１に記載の折り畳み式挟持装置。
【請求項３】
前記挟持体は、中心位置からずれるように前記第１支持ユニットと枢着され、
前記挟持体と前記第１支持ユニットとの枢着箇所に位置決めユニットを有し、
前記位置決めユニットは、噛合により、前記挟持体と前記第１支持ユニットとの回動調整後の相対位置を維持することを特徴とする、請求項２に記載の折り畳み式挟持装置。
【請求項４】
前記第１支持ユニットの背面に斜面を有し、
前記斜面は、前記第１枢着ユニットと枢着する箇所に隣接し、前記第１支持ユニットを傾斜形態に調整して前記第２支持ユニットの上方に位置させることを特徴とする、請求項１に記載の折り畳み式挟持装置。
【請求項５】
前記第１枢着ユニットと前記第１支持ユニットとの枢着箇所、前記第２枢着ユニットと前記第２支持ユニットとの枢着箇所、及び前記第１延伸部と前記第２延伸部との接合箇所に位置決めユニットが設けられ、
前記位置決めユニットは、噛合により、前記第１枢着ユニットと前記第１支持ユニット、前記第２枢着ユニットと前記第２支持ユニット、及び前記第１延伸部と前記第２延伸部との調整後の相対位置を維持することを特徴とする、請求項１に記載の折り畳み式挟持装置。
【請求項６】
前記可動挟持部はＬ字型の金属シートであることを特徴とする、請求項１に記載の折り畳み式挟持装置。
【請求項７】
前記第２支持ユニットにガイドレール及び摺動部材が設けられ、
前記摺動部材は、前記ガイドレールを介して前記第２支持ユニットの内部の前記可動挟持部と結合して、前記摺動部材を押す時に前記可動挟持部を同期移動させることを特徴とする、請求項１に記載の折り畳み式挟持装置。
【請求項８】
前記固定挟持部の垂直方向の対向する両辺にそれぞれ切欠きを有することを特徴とする、請求項１に記載の折り畳み式挟持装置。
【考案の詳細な説明】
【技術分野】
【０００１】
本考案は、携帯電話の挟持装置、特に、一般の公共交通機関で使用する携帯電話ハンズフリー装置の技術分野に関する。
【背景技術】
【０００２】
飛行機、鉄道又はバス等、数時間から数十時間の乗車の間に疲労を感じるばかりでなく、退屈感さえ出てくる。乗車の時間を潰すために携帯電話で動画を見るか又は仕事するか、長時間頭を下げた状態で使用すると、頸椎に一定のダメージを与え、頸椎の痛みとなる場合もある。また、携帯電話を手で持ちながら水平視の状態で使用すると、腕の痛みになり、乗車中快適に過ごせない。一般の公共交通機関又は飛行機の座席の構造は大体同じであるため、公共交通機関で使用する携帯電話ハンズフリー装置を設計する必要がある。
【考案の概要】
【考案が解決しようとする課題】
【０００３】
本考案の主な目的としては、飛行機、新幹線又は電車等の座席の裏側のテーブルに固定できる折り畳み式挟持装置を提供する。前記折り畳み式挟持装置は、使用者の視角に合わせるように、複数の枢着構造によって挟持される携帯電話の位置を調整することで、ハンズフリーの目的を達成できる。また、前記折り畳み式挟持装置は、その構造全体の体積が小さく、乗車時容易に取り付けられ、降車時直ぐに取り外せ、及び容易に持ち運ぶという目的を達成できる。
【０００４】
本考案の別の目的としては、折り畳み式挟持装置を提供することにある。前記折り畳み式挟持装置は、複数の枢着構造の設計によって、装置全体を展開して色んな使用形態となり、使用者の要望を満足できる。また、収納時、装置を折り畳み、体積を小さくして空間を節約し、容易に持ち運ぶことができる。
【課題を解決するための手段】
【０００５】
本考案は、下記特徴を有する折り畳み式挟持装置を提供する。
即ち、第１支持ユニットと、第１枢着ユニットと、第２枢着ユニットと、第２支持ユニットとを備え、
前記第１支持ユニットは、携帯電話を挟持するための挟持体を有し、その一端が第１枢着ユニットと枢着され、
前記第１枢着ユニットはＴ字型の枢着体であり、中間位置に突出する第１延伸部を有し、
前記第２枢着ユニットはＴ字型の枢着体であり、中間位置に突出する第２延伸部を有し、
前記第２延伸部と前記第１延伸部は接合して同軸で回動可能であり、
前記第２支持ユニットは、その一端が前記第２枢着ユニットと枢着され、固定挟持部と、可動挟持部と、少なくとも１つの弾性体とを有し、
前記固定挟持部は、前記第２支持ユニットにおける枢着箇所から離れる一端に位置し、
前記可動挟持部はＬ字型であり、その一部が前記第２支持ユニットの内部まで延伸され、前記固定挟持部から離れる方向に直線移動可能であり、
前記弾性体は、前記第２支持ユニットの内部に位置して前記可動挟持部と接触し、前記可動挟持部及び固定挟持部の挟持力を付与し、
折り畳まれる際、前記第１枢着ユニット及び前記第２枢着ユニットを調整することで、前記挟持体が前記第２支持ユニットの枢着箇所と前記固定挟持部との間に位置するように前記第１支持ユニットと前記第２支持ユニットを対向に接近させる。
【０００６】
本考案の実施例において、前記挟持体は、回動可能に前記第１支持ユニットに取り付けられる。
【０００７】
本考案の実施例において、前記挟持体は、中心位置からずれるように前記第１支持ユニットと枢着され、前記挟持体と前記第１支持ユニットとの枢着箇所に位置決めユニットを有する。前記位置決めユニットは、噛合により、前記挟持体と前記第１支持ユニットとの回動調整後の相対位置を維持する。
【０００８】
本考案の実施例において、前記第１支持ユニットの背面に斜面を有し、前記斜面は、前記第１枢着ユニットと枢着する箇所に隣接し、前記第１支持ユニットを傾斜形態に調整して前記第２支持ユニットの上方に位置させる。
【０００９】
本考案の実施例において、前記第１枢着ユニットと前記第１支持ユニットとの枢着箇所、前記第２枢着ユニットと前記第２支持ユニットとの枢着箇所、及び前記第１延伸部と前記第２延伸部との接合箇所に位置決めユニットが設けられる。前記位置決めユニットは、噛合により、前記第１枢着ユニットと前記第１支持ユニット、前記第２枢着ユニットと前記第２支持ユニット、及び前記第１延伸部と前記第２延伸部との調整後の相対位置を維持する。
【００１０】
本考案の実施例において、前記可動挟持部はＬ字型の金属シートである。
【００１１】
本考案の実施例において、前記第２支持ユニットにガイドレール及び摺動部材が設けられる。前記摺動部材は、前記ガイドレールを介して前記第２支持ユニットの内部の前記可動挟持部と結合して、前記摺動部材を押す時に前記可動挟持部を同期移動させる。
【００１２】
本考案の実施例において、前記固定挟持部は、垂直方向の対向する両辺にそれぞれ切欠きを有する。
【考案の効果】
【００１３】
本考案の畳み式挟持装置によると、その構造全体の体積が小さく、乗車時容易に取り付けられ、降車時直ぐに取り外せ、及び容易に持ち運ぶという目的を達成できる。
【図面の簡単な説明】
【００１４】
【図１】本考案の折り畳み収納状態を示す斜視図である。
【図２】本考案の第１展開状態を示す斜視図である。
【図３】本考案の第２展開状態を示す斜視図である。
【図４】本考案の第２支持ユニットの内部構造を示す模式図である。
【図５】本考案の第１延伸部と第２延伸部の接合構造を示す斜視図である。
【図６】本考案の第２展開状態で携帯電話を挟持する状態を示す斜視図である。
【図７】本考案の装置を座席の裏側のテーブルに挟持する状態を示す斜視図である。
【図８】テーブルを折り畳み収納後も本考案の装置を挟持して使用する状態を示す斜視図である。
【考案を実施するための形態】
【００１５】
以下、当業者が本明細書を参考した上で実施できるように、図面及び符号を参照しながら本考案の実施形態をより詳しく説明する。
【００１６】
図１は、本考案の折り畳み収納状態の斜視図である。
本考案の折り畳み式挟持装置は、第１支持ユニット１と、第１枢着ユニット２と、第２枢着ユニット３と、第２支持ユニット４とを備える。前記第１支持ユニット１は、携帯電話を挟持するための挟持体１１を有する。前記第１枢着ユニット２はＴ字型の枢着体であり、中間位置に突出する第１延伸部２１を有する。前記第２枢着ユニット３はＴ字型の枢着体であり、中間位置に突出する第２延伸部３１を有する。前記第２延伸部２１と前記第１延伸部３１は接合して同軸で回動可能である。図４に示すように、前記第２支持ユニット４は、その一端が前記第２枢着ユニット３と枢着され、固定挟持部４１と、可動挟持部４２と、少なくとも１つの弾性体４３とを有する。前記固定挟持部４１及び前記可動挟持部４２は、板状体を挟んで固定する。前記弾性体は挟持力を維持する。このような構造によれば、全体を折り畳み収納する際、前記第１枢着ユニット２及び前記第２枢着ユニット３を調整することで、前記第１支持ユニット１及び前記第２支持ユニット４が対向に接近させ、前記挟持体１１が前記第２支持ユニット４の枢着箇所と前記固定挟持部４１との間に位置する。
【００１７】
図２及び図３は、本考案の他の実施形態の斜視図である。前記挟持体１１は、第１挟持部１１１及び第２挟持部１１２を有し、携帯電話を挟持するために用いられるよく見られる構造である。そのうち、前記第２挟持部１１２は直線移動可能であり、内部のバネの弾性力を利用して前記第２挟持部１１２の挟持力を維持する。本実施例において、単一方向に移動する挟持モードとしたが、両方向に移動する挟持モードとすることもできる。前記挟持体１１は中心からずれるように前記第１支持ユニット１と枢着する。図３に示すように、その枢着位置は、第２挟持部１１２に寄せる位置である。それは、図６に示すように、横幅が広い携帯電話を挟持する場合、携帯電話の重心を前記第２支持ユニット４の領域に位置させるからである。また、本実施例において、前記第１支持ユニット１の背面に斜面１１３を有する。図１に示すように、前記斜面１１３は、前記第１枢着ユニット２と枢着する箇所に隣接する。図２及び図３に示すように、前記第１支持ユニット１を傾斜形態にして前記第２支持ユニット２の上方に位置させる。よって、使用者が挟持体１１に挟持される携帯電話を見るのに便利である。
【００１８】
前記第１枢着ユニット２はＴ字型の枢着体であり、中間位置に突出する前記第１延伸部２１を有する。前記第２枢着ユニット３もＴ字型の枢着体であり、中間位置に突出する前記第２延伸部３１を有する。前記第２延伸部２１と前記第１延伸部３１は接合して同軸で回動可能である。このような構造によれば、前記第１枢着ユニット２によって、前記第１支持ユニット１は特定軸方向に特定な角度で回動できる。前記第２枢着ユニット３によって、前記第２支持ユニット４は特定軸方向に特定な角度で回動できる。また、前記第１延伸部２１及び前記第２延伸部３１は、同一中心軸で相対回動するため、使用者の要望に対応するように、前記第１支持ユニット１と前記第２支持ユニット４との相対位置を約３６０°である全方位の範囲で調整できる。
【００１９】
図４に示すように、前記第２支持ユニット４は、固定挟持部４１、可動挟持部４２、及び少なくとも１つの弾性体４３を有する。前記固定挟持部４１は、前記第２支持ユニット４における第２枢着ユニット３との枢着箇所から離れる一端に立設する。前記可動挟持部４２はＬ字型であり、その一部が前記第２支持ユニット４の内部まで延伸する。前記可動挟持部４２は、前記固定挟持部４１から離れる方向に直線移動可能である。前記弾性体４３はバネであり、本実施例において、２つの前記弾性体４３を有する。前記弾性体４３は、第２支持ユニット４の内部に位置して前記可動挟持部４２と接触する。力が加わらない場合、前記弾性体４３は、前記可動挟持部４２を動かして前記固定挟持部４１と接触する状態となる役目を果たす。前記可動挟持部４２本体の構造はＬ字型の金属シートであり、且つ前記固定挟持部４１と接触する面のみに保護用ゴムパッド４２１を設置する。本考案において、前記可動挟持部４２は金属シートであるため、厚さが薄く、狭い隙間を通り抜けることができる。よって、座席の裏側のテーブルに固定するという本考案の目的を達成できる。
【００２０】
容易に操作するため、前記第２支持ユニット４にガイドレール４４及び摺動部材４５が設けられる。前記摺動部材４５の一部は、前記ガイドレール４４を介して前記第２支持ユニット４の内部の前記可動挟持部４２と結合して、前記摺動部材４５を押す時に前記可動挟持部４２を同期移動させる。それによって、前記可動挟持部４２を容易に開き、前記可動挟持部４２及び固定挟持部４１によって板状体を挟んで固定する。さらに、前記固定挟持部４１は、垂直方向の対向する両辺にそれぞれ弧状の切欠き４１１を有する。前記切欠き４１１が設置されているため、前記切欠き４１１を通って、指で前記可動挟持部４２の前記保護用ゴムパッド４２１を押し、前記可動挟持部４２を開くという目的を達成できる。
【００２１】
本実施例において、前記第１支持ユニット１と挟持体１１との枢着箇所、前記第１支持ユニット１と第１枢着ユニット２との枢着箇所、前記第１延伸部２１と第２延伸部３１との接合箇所、及び前記第２枢着ユニット３２と第２支持ユニット４との枢着箇所を含む、各枢着位置に位置決めユニットが設けられる。前記位置決めユニットは、噛合により、前記第１支持ユニット１と挟持体１１、前記第１支持ユニット１と第１枢着ユニット２、前記第１延伸部２１と第２延伸部３１、及び前記第２枢着ユニット３２と第２支持ユニット４との調整後の相対位置を維持する。図５は、前記第１延伸部２１と第２延伸部３１との接合箇所の位置決め構造を示す。前記接合箇所は従来のものと類似するため、ここでは説明を省略する。同様に、その他の各枢着位置の位置決め構造も類似の構造を有する。
【００２２】
次いで、実際に本考案の装置を使用する状態を説明する。図６に示すように、前記第２支持ユニット４が物体を挟持しない場合、前記固定挟持部４１及び可動挟持部４２は上向き状態となる。前記第２支持ユニット４を卓上に置き、支持座とする。前記可動挟持部４２は金属シートであるため、一定の重量を有し、安定な状態となる。その後、前記第１枢着ユニット２及び第２枢着ユニット３を調整することで、第１支持ユニット１を傾斜状態とする。次いで、前記挟持体１１を用いて携帯電話５を挟持すると、前記携帯電話５を卓上に立って使用できる。図２において、携帯電話５を横向きにして使用する場合を示す。
【００２３】
本考案は、飛行機、新幹線、電車等一般の公共交通機関で利用できるハンズフリー装置に関する。図７及び図８に示すように、座席６１の裏側にテーブル６２が設けられる。使用しない場合、前記テーブル６２を折り畳み座席６１の裏側に付ける。また、使用する場合、前記テーブルを開けて平らにする。図７に示すように、テーブル６２を平らにする場合、前記第２支持ユニット４の可動挟持部４２及び固定挟持部４１によってテーブル６２側面を挟持する。その後、第１枢着ユニット２及び第２枢着ユニット３を調整することで、前記第１支持ユニット１をテーブルの上方に立設する。即ち、携帯電話５を前記挟持体１１で挟持して、テーブル６２の上方に立設する。使用者は、携帯電話５の画面を見るのに便利である。
【００２４】
図８は、テーブル６２を座席６１の裏側に折り畳み収納する状態で使用する模式図である。使用する前に、テーブル６２を平らにして、前記可動挟持部４２及び固定挟持部４１によってテーブル６２を挟む。その後、テーブル６２を座席６１の裏側に折り畳み収納する際、前記可動挟持部４２は、テーブル６２と座席６１の裏側の空間との隙間から伸び出す。前記可動挟持部４２は薄い金属シートであるため、容易に前記隙間を通り抜ける。その後、第１枢着ユニット２及び第２枢着ユニット３を調整することで、前記第１支持ユニット１を異なる形で立設できる。その場合、携帯電話５は、依然として前記挟持体１１により挟持されている。このような構造によれば、飛行機、鉄道で携帯電話を容易に使用できる。
【００２５】
以上述べた事柄は、本考案の好ましい実施例に過ぎず、本考案の実施例の範囲を限定するものではない。よって、本考案の請求項に基づきなされた均一な変更及び付加は、全て本考案の特許請求の範囲に含まれる。
【符号の説明】
【００２６】
１        第１支持ユニット
１１      挟持体
１１１    第１挟持部
１１２    第２挟持部
１１３    斜面
２        第１枢着ユニット
２１      第１延伸部
３        第２枢着ユニット
３１      第２延伸部
４        第２支持ユニット
４１      固定挟持部
４１１    切欠き
４２      可動挟持部
４２１    保護用ゴムパッド
４３      弾性体
４４      ガイドレール
４５      摺動部材
５        携帯電話
６１      座席
６２      テーブル
【図１】
0003222823.tif 000003
【図２】
0003222823.tif 000004
【図３】
0003222823.tif 000005
【図４】
0003222823.tif 000006
【図５】
0003222823.tif 000007
【図６】
0003222823.tif 000008
【図７】
0003222823.tif 000009
【図８】
0003222823.tif 000010